(57)【要約】      （修正有）【課題】ドラムの収納、運搬に使用でき、展示にも好適な楽器ケースを提供する。【解決手段】各々の開口部の形状及びサイズが同一であり、各々の開口部の対応する一辺がヒンジ手段により接合されて開閉可能な第１の箱体及び第２の箱体から成る。第１の箱体３が、矩形の上面と四つの側面とから成り、上面の少なくとも一部分と、四つの側面のうちの少なくとも一つの側面及び対向する側面の各々の少なくとも一部分が透明な板状部材から成り、第２の箱体２が、矩形の底面と四つの側面とから成り、第１の箱体の深さと第２の箱体の深さの比が、２：１ないし５：１の範囲にあり、第１の箱体の他の側面がハンドル手段３５を有し、閉じた状態で、ケースの少なくとも三面の透明部分を通じてケースの中を外から見ることができる。【選択図】図１
0003188635.tif 000002
【実用新案登録請求の範囲】
【請求項１】
スネアドラム等ドラムのための箱状のケースであって、
一面を開口部とする第１の箱体及び一面を開口部とする第２の箱体であって、前記第１の箱体の前記開口部と前記第２の箱体の前記開口部の形状及びサイズが同一であり、各々の開口部の対応する一辺がヒンジ手段により接合されて開閉可能な第１の箱体及び第２の箱体から成り、
前記第１の箱体が、矩形の上面と四つの側面とから成り、前記上面の少なくとも部分と、前記四つの側面のうちの少なくとも一つの側面及び該一つの側面に対向する側面の各々の少なくとも部分が透明な板状部材から成り、
前記第２の箱体が、矩形の底面と四つの側面とから成り、
前記第１の箱体の深さと前記第２の箱体の深さの比が、２：１ないし５：１の範囲にあり、
前記第１の箱体の他の側面がハンドル手段を有し、
閉じた状態で、前記ケースの少なくとも三面の少なくとも部分を通じて前記ケースの中を外から見ることができることを特徴とする、
ケース。
【請求項２】
前記第２の箱体の前記四つの側面のうちの少なくとも一つの側面及び該一つの側面に対向する側面の各々の少なくとも部分が透明な板状部材から成り、
前記第１の箱体の前記一つの側面と前記第２の箱体の前記一つの側面とから前記ケースの一つの側面が形成され、前記第１の箱体の前記対向する側面と前記第２の箱体の前記対向する側面とから前記ケースの前記一つの側面に対向する側面が形成されることを特徴とする、
請求項１に記載されたケース。
【請求項３】
前記第１の箱体の深さと前記第２の箱体の深さの比が、３：１ないし４：１の範囲にあることを特徴とする、
請求項１又は２に記載されたドラム用ケース。
【請求項４】
前記板状部材が、アクリル樹脂（ＰＭＭＡ）及び／又はグリコール変性ポリエチレンテレフタレート樹脂（ＰＥＴＧ）から成ることを特徴とする、
請求項１に記載されたケース。
【請求項５】
さらに、前記ケースが所定の角度だけ開いた状態で前記第１の箱体及び前記第２の箱体のうち一方の箱体の位置を他方の箱体に対して固定するためのストッパ手段を有することを特徴とする、
請求項１に記載されたケース。
【考案の詳細な説明】
【技術分野】
【０００１】
本考案は、楽器ケースに関し、特にスネアドラム等ドラム用のケースであって、運搬や保管に幅広く使用することができ、展示用途にも好適なケースに関する。
【背景技術】
【０００２】
ドラムを保管、運搬するためのケースがよく知られている。市販され手軽に入手できるケースには、可撓性材料から成るソフトケース、剛性を有する材料から成るハードケース、セミハードケース等があり、形状としては、収納するドラムの円筒形状に対応した円筒形、一般的なスーツケースのような直方体、またはそれらを組み合わせたような上部が半円筒、下部が直方体等のさまざまなものがある。
【０００３】
楽器ケースは、保管時や運搬時における塵や埃、湿気、空調等による急激な温度変化、外部からの衝撃等から楽器を防護し、その損傷や破損を防止するために重要である。
【０００４】
一方で、楽器をケースに入れて保管すると目に見えない状態になり、それ故に手に取ろうという意識が働きにくくなり、楽器を使用する機会が減ることがある。楽器を頻繁に使用しなければ、その楽器の演奏技術を上達させること又は維持することは難しい。楽器の保管、運搬時にケースを使用することは好ましいが、そのために楽器に接する機会が減少することは好ましくない。
【０００５】
従来、納置された楽器について、視覚的な刺激を与えて楽器を手に取りやすくするために、部分的に透明な素材を用いた楽器用キャビネット型ケースが提案された（特許文献１：特開平１１−３２７５４２号広報）。
【先行技術文献】
【特許文献】
【０００６】
【特許文献１】特開平１１−３２７５４２号広報
【考案の概要】
【考案が解決しようとする課題】
【０００７】
従来の透明部材を用いた楽器ケースは、楽器を納置した際にケースの外から楽器が見えるようにしたものであり、用途が保管又は展示に限られ、楽器を運搬する際に使用することはできなかった。楽器を運搬する際には別の専用ケースを使用する必要があり、煩雑であった。
【０００８】
また、従来、スネアドラム（小太鼓）等ドラムの展示に好適なケースは提案されなかった。
【０００９】
従って、保管、展示及び運搬等に使用することができるドラム用楽器ケースが望まれる。
【課題を解決するための手段】
【００１０】
上記課題を解決する本考案に係る楽器ケースは、スネアドラム等ドラムのための箱状のケースであって、一面を開口部とする第１の箱体及び一面を開口部とする第２の箱体であって、第１の箱体の開口部と第２の箱体の開口部の形状及びサイズが同一であり、各々の開口部の対応する一辺がヒンジ手段により接合されて開閉可能な第１の箱体及び第２の箱体から成り、第１の箱体が、矩形の上面と四つの側面とから成り、上面の少なくとも部分と、四つの側面のうちの少なくとも一つの側面及び該一つの側面に対向する側面の各々の少なくとも部分が透明な板状部材から成り、第２の箱体が、矩形の底面と四つの側面とから成り、第１の箱体の深さと第２の箱体の深さの比が、２：１ないし５：１の範囲にあり、第１の箱体の他の側面がハンドル手段を有し、閉じた状態で、ケースの少なくとも三面の少なくとも部分を通じてケースの中を外から見ることができることを特徴とする。
【００１１】
このようにすることで、運搬、収納に好適であるとともに、収納された状態の楽器を外から見ることができ、展示にも好適なケースとすることができる。
【００１２】
また、第２の箱体の前記四つの側面のうちの少なくとも一つの側面及び該一つの側面に対向する側面の各々の少なくとも部分が透明な板状部材から成り、第１の箱体の一つの側面と第２の箱体の一つの側面とからケースの一つの側面が形成され、第１の箱体の対向する側面と第２の箱体の対向する側面とからケースの一つの側面に対向する側面が形成されることを特徴とする。
【００１３】
このようにすることで、収納された楽器がより外から見えやすくなり、意匠性に優れたケースとすることができる。
【００１４】
より好適に、第１の箱体の深さと前記第２の箱体の深さの比は、３：１ないし４：１の範囲にある。
【００１５】
板状部材は、アクリル樹脂（ＰＭＭＡ）及び／又はグリコール変性ポリエチレンテレフタレート（ＰＥＴＧ）から成ってよい。このようにすることで、透明性及び／又は耐衝撃性に優れたケースとすることができる。
【００１６】
さらに、本考案に係るケースは、好適に、ケースが所定の角度だけ開いた状態で第１の箱体及び第２の箱体のうち一方の箱体の位置を他方の箱体に対して固定するためのストッパ手段を有する。このようにすることで、例えば、第２の箱体の底面を下にして地面等に置き第１の箱体を開けた状態でケースを安定させることができる。
【考案の効果】
【００１７】
本考案により、スネアドラム等ドラムを塵や埃、衝撃等から保護するとともに収容された楽器を外から見ることができ、収納、運搬及び展示等の幅広い用途に使用することができるドラム用ケースを得ることができる。また、意匠性に優れたドラム用ケースを得ることができる。
【図面の簡単な説明】
【００１８】
【図１】図１は本考案に係る一つの態様のドラム用ケースを概略的に示す図である。
【図２】図２は本考案に係る一つの態様のドラム用ケースの上面図である。
【図３】図３（ａ）、（ｂ）は各々本考案に係る一つの態様のドラム用ケースの側面図である。
【図４】図４（ａ）は本考案に係る一つの態様のドラム用ケースの正面図、図４（ｂ）は本考案に係る一つの態様のドラム用ケースの背面図である。
【図５】図５は本考案に係る一つの態様のドラム用ケースの底面図である。
【図６】図６は本考案に係る一つの態様のドラム用ケースのストッパ手段を概略的に示す側面図である。
【考案を実施するための形態】
【００１９】
以下、添付図面を参照して本考案の好ましい実施例を説明する。図面は説明のために簡略化され、尺度も必ずしも一致しない。概して、対応する部材等は同一の符号で示される。
【００２０】
図１に、本考案に係る一つの態様のドラム用ケース１が概略的に示されている。ケース１は、下部箱体２と上部箱体３とから成る。
【００２１】
下部箱体２は、矩形（例えば、正方形）の底面部２０及び四つの側面部２１、２２、２３、２４から成り、底面部２０に対向する側に開口部が形成される。
【００２２】
上部箱体３は、底面部２０と形状、サイズが等しい上面部３０及び四つの側面部３１、３２、３３、３４から成り、上面部３０に対向する側に開口部が形成される。
【００２３】
下部箱体２及び上部箱体３は、各々の開口部の一辺で公知のヒンジ手段（図４（ｂ）参照）により開閉可能に接合される。
【００２４】
好適に、スネアドラム等ドラムが下部箱体２に横置き（平置き）で収納される。好適に、ケース１の内側の部分にクッション材（図示せず）が配置され、例えば、下部箱体２の底面部２０の内側に織布、不織布等から成るクッション材が配置される。このようにすることで、ドラムの裏面ヘッド（例えば、スネアヘッド）等を十分に保護することができる。
【００２５】
上部箱体３は、下部箱体２を地面等に置いたとき、下部箱体２に対してヒンジ手段の軸を中心に回動する蓋体となる。また、上部箱体３はハンドル手段３５を有し、ケース１を閉じた状態でハンドル手段３５を把持してケース１を運搬することができる。
【００２６】
本考案に係るケース１において、上部箱体３は下部箱体２より深い深さを有し、上部箱体３の上面部３０、側面部３２、３４の各々の少なくとも部分が透明な板状部材から成る。好適に、上面部３０、側面部３２、３４の大部分ないし全部が透明な板状部材から成る。
【００２７】
このようにすることで、底面部２０を地面等に置いてケースを閉じた状態で、外からケースに収納されたドラムを見ることができる。
【００２８】
さらに、下部箱体２の側面部２２、２４の各々の少なくとも部分が透明な板状部材から成る。このようにすることで、ケース１の中身がより見えやすくなり、ケース自体の意匠性も向上する。
【００２９】
図２にケース１の上面部３０（上部箱体３の上面部３０）が図示されている。上面部３０は、中空の矩形のフレーム部３０ｆ及び該フレーム部に接合された矩形の透明パネルから成る窓部３０ｗを含む。
【００３０】
上面部３０の長さＬと幅Ｗは等しくてよい。長さＬと幅Ｗは異なってもよい。
【００３１】
図３（ａ）、（ｂ）にケース１の対向する二つの側面部１４、１２が図示されている。ケース１の側面部１４は、上部箱体３の側面部３４及び下部箱体２の側面部２４から成る。側面部３４は、中空の矩形のフレーム部３４ｆ及び該フレーム部に接合された矩形の透明パネルから成る窓部３４ｗを含み、側面部２４は、中空の矩形のフレーム部２４ｆ及び該フレーム部に接合された矩形の透明パネルから成る窓部２４ｗを含む。
【００３２】
同様に、側面部１２は、上部箱体３の側面部３２及び下部箱体２の側面部２２から成り、側面部３２、２２は各々、中空の矩形のフレーム部３２ｆ、２２ｆ及び該フレーム部に各々接合された矩形の透明パネルから成る窓部３２ｗ、２２ｗを含む。
【００３３】
図４（ａ）、（ｂ）にケース１の他の対向する二つの側面部１１、１３が図示されている。側面部１１は、上部箱体３の側面部３１と下部箱体２の側面部２１とから成る。側面部１１は、ケース１を閉じた状態で固定するためのラッチ等公知の留め金手段４０、４０’を有する。
【００３４】
側面部３１は、中空の矩形のフレーム部３１ｆ及び該フレーム部に接合された矩形のパネルから成るシェル部３１ｓを含み、側面部２１は、中空の矩形のフレーム部２１ｆ及び該フレーム部に接合された矩形のパネルから成るシェル部２１ｓを含む。
【００３５】
上部箱体の深さＤ１と下部箱体の深さＤ２の比は、２：１ないし５：１の範囲にある。上部箱体の深さＤ１がＤ２の２倍未満の場合、収容された楽器が見えづらくなり好ましくない。上部箱体の深さＤ１が下部箱体の深さＤ２の５倍を超える場合、蓋体としての上部箱体の開閉が不便になり、また、上部箱体を開いた状態でケース１が不安定になり易く好ましくない。
【００３６】
より好適に、上部箱体の深さＤ１と下部箱体の深さＤ２の比は、３：１ないし４：１の範囲にある。
【００３７】
側面部１３は、上部箱体３の側面部３３と下部箱体２の側面部２３とから成る。側面部１３は、上部箱体３と下部箱体２とを開閉可能に接合する公知のヒンジ手段５０、５０’を有する。また、側面部１３は、ケース１のハンドル手段３５を上にして地面等に置く際、ケース１を保護するように底鋲を四隅に有してよい。
【００３８】
側面部３３は、中空の矩形のフレーム部３３ｆ及び該フレーム部に接合された矩形のパネルから成るシェル部３３ｓを含み、側面部２３は、中空の矩形のフレーム部２３ｆ及び該フレーム部に接合された矩形のパネルから成るシェル部２３ｓを含む。
【００３９】
図５にケース１の底面部２０（下部箱体２の底面部２０）が図示されている。底面部２０は、中空の矩形のフレーム部２０ｆ及び該フレーム部に接合された矩形のパネルから成るシェル部２０ｓを含む。
【００４０】
上記の各フレーム部を構成するフレーム材料は、スチール、アルミニウム、マグネシウム９６％合金、ＡＢＳ樹脂等であってよい。フレーム材料は上記に限定されるものではなく、ケースのフレームに適した材料から適宜選択することができる。
【００４１】
また、上記の各フレーム部は、上部箱体のフレーム部又は下部箱体のフレーム部として一体的に成形されてよい。または、上部箱体のフレーム部又は下部箱体のフレーム部として部分的に一体的に成形されてもよく、個別のフレームが公知のコーナ金具等により接合されてもよい。
【００４２】
上記の各窓部を構成する透明パネルは、所定のサイズを有するアクリル板又はＰＥＴＧ板であってよい。パネル材料はこれに限定されるものではなく、透明性、耐衝撃性を有する他の材料から適宜選択することができる。透明パネルの厚さは材料、強度等に応じて適宜選択され、例えば、約１ｍｍないし約５ｍｍの範囲にあってよい。
【００４３】
上記の各シェル部を構成する板状部材は、例示的に、ＡＢＳ樹脂、ポリカーボネート、アルミ合金、アルベニヤ（ベニヤ板の少なくとも一面にアルミ箔を貼付したもの）等から成ってよい。各シェル部の材料はこれに限定されるものではなく、ケース本体に使用することができる材料から適宜選択され得る。シェル部の厚さは材料、強度等に応じて適宜選択され、例えば、約３ｍｍないし約８ｍｍの範囲にあってよい。
【００４４】
なお、ケース１において、上部又は下部箱体のフレーム部及びシェル部が一体成形又は部分的に一体成形されてもよい。
【００４５】
ケース１のサイズは特に限定されず、さまざまなサイズを有していてよい。例示的に、口径１４インチ、深さ３．５〜６．５インチのスネアドラムを収容するために、外形寸法Ｌ×Ｗ×Ｄが、約４２５ｍｍ×約４２５ｍｍ×約２４０ｍｍ（内形寸法：長さ約４１２ｍｍ×幅約４１２ｍｍ×深さ約１８２ｍｍ）、上部箱体の深さＤ１が約１８５ｍｍ、下部箱体の深さＤ２が約５５ｍｍであってよい。また、浅胴のスネアドラムのために、ケース1の内側に仕切り板等が設けられてもよい。
【００４６】
本考案に係るドラム用ケースの総重量は、使用される材料及びケースのサイズ等によってさまざまであり得る。例示的に、ケースの重量は、約２ｋｇ以上、約６ｋｇ以下の範囲にあり、例えば、４．２±１ｋｇである。
【００４７】
図６を参照し、側面部１４は、好適に、ヒンジ手段の軸を中心にケース１が所定の角度だけ開いた状態で、上部又は下部箱体の位置を下部又は上部箱体に対して固定するためのストッパ手段６０を有する。また、側面部１２はストッパ手段６０’を有する（図示せず）。
【００４８】
ストッパ手段６０、６０’により、一方の箱体が他方の箱体に対して所定の角度だけ開いた状態が維持され、ドラム等の楽器を容易にケースから出し入れすることができる。また、ケース１が開く最大角度が画定され、例えば、地面等に下部箱体を置いた状態で上部箱体を開けるとき、上部箱体が開き過ぎて不所望に後方へ倒れることを防止できる。
【００４９】
ストッパ手段６０として、上部箱体の側面部３４（３２）の内側と下部箱体の側面部２４（２２）の内側とを接続する折り曲げ式のステー又はスライド式のステー等公知のストッパ手段を使用することができる。
【００５０】
以上、添付図面を参照して本考案の好ましい実施態様を説明したが、本考案は上述した実施態様に限られることなく、実用新案登録請求の範囲の記載から把握される技術的範囲において種々の態様に変更可能である。
【符号の説明】
【００５１】
１                    ケース
２                    下部箱体
３                    上部箱体
２０                    底面部
２１、２２、２３、２４  下部箱体の側面部
３０                    上面部
３１、３２、３３、３４  上部箱体の側面部
３５                    ハンドル手段
【図１】
0003188635.tif 000003
【図２】
0003188635.tif 000004
【図３】
0003188635.tif 000005
【図４】
0003188635.tif 000006
【図５】
0003188635.tif 000007
【図６】
0003188635.tif 000008